(57)【要約】【課題】メモリカードとＨＤＤの静止画ファイルの差分は、メモリカードのみに存在するが、その差分をコピーするには、ユーザによるコピー操作が必要であった。【解決手段】メモリカードを静止画記録再生編集装置に装填した際に、メモリカード内の全ての静止画ファイルを確認して、各静止画ファイルのユーザコメント領域に独自管理情報が記録されているか否かを確認する。独自管理情報が記録されていなければ、独自管理情報を記録した後、ＨＤＤに対してコピーを行う。その後、メモリカードに対して、ディジタルスチルカメラで静止画ファイルを記録すると、そのファイルのユーザコメント領域には独自管理情報が記録されていない状態となる。再度このメモリカードを静止画記録再生編集装置に装填した際に、独自管理情報が未記録である静止画ファイルを検索して、自動的にコピーを行う。【選択図】図４
2008085683.tif 000002
【特許請求の範囲】
【請求項１】
第１の記録媒体に対して、第２の記録媒体に記録された静止画ファイルをコピーすることが可能であり、また、第１の記録媒体に記録された静止画ファイルと第２の記録媒体に記録された静止画ファイルに対して編集を行うことが可能な静止画ファイル記録編集装置であって、
静止画ファイルがコピーされるコピー先記録機器を特定するための機器識別情報と、静止画ファイルが前記コピー先機器に記録済みか否かを示すための管理フラグを備えた情報を静止画ファイル独自管理情報として、
静止画ファイルのユーザデータ領域に、静止画ファイル独自管理情報を記録する静止画ファイル独自管理情報記録手段と、
前記ユーザデータ領域に静止画ファイル独自管理情報があるか否かを確認する静止画ファイル独自管理情報確認手段と、
前記ユーザデータ領域にある静止画ファイル独自管理情報の管理フラグの属性変更を行う管理フラグ属性変更手段と、
前記第２の記録媒体を前記静止画ファイル記録編集装置に装填したとき、前記静止画ファイル独自管理情報確認手段により、静止画ファイル独自管理情報が記録されていない静止画ファイルを確認した場合には、その静止画ファイルを前記第１の記録媒体に対してコピーする手段と、
管理フラグ属性変更手段により、管理フラグをＴＲＵＥと設定した静止画ファイル独自管理情報を記録する手段と
を備えることを特徴とする静止画ファイル記録編集装置。
【請求項２】
第１の記録媒体に対して、第２の記録媒体に記録された静止画ファイルをコピーすることが可能であり、また、第１の記録媒体に記録された静止画ファイルと第２の記録媒体に記録された静止画ファイルに対して編集を行うことが可能な静止画ファイル記録編集装置であって、
静止画ファイルがコピーされるコピー先記録機器を特定するための機器識別情報と、静止画ファイルが前記コピー先機器に記録済みか否かを示すための管理フラグを備えた情報を静止画ファイル独自管理情報として、
静止画ファイルのユーザデータ領域に、静止画ファイル独自管理情報を記録する静止画ファイル独自管理情報記録手段と、
前記ユーザデータ領域に静止画ファイル独自管理情報があるか否かを確認する静止画ファイル独自管理情報確認手段と、
前記ユーザデータ領域にある静止画ファイル独自管理情報の管理フラグの属性変更を行う管理フラグ属性変更手段と、
前記第２の記録媒体を前記静止画ファイル記録編集装置に装填したとき、静止画ファイル独自管理情報確認手段により、静止画ファイル独自管理情報が記録されている静止画ファイルを確認し、かつ、静止画ファイル独自管理情報の管理フラグがＦＡＬＳＥとなっている場合には、その静止画ファイルを前記第１の記録媒体に対してコピーする手段と
を備え、管理フラグ属性変更手段により、前記第２の記録媒体のコピー元静止画ファイルの静止画ファイル独自管理情報の管理フラグの属性をＴＲＵＥと設定すること
を特徴とする静止画ファイル記録編集装置。
【請求項３】
第１の記録媒体に対して、第２の記録媒体に記録された静止画ファイルをコピーすることが可能であり、また、第１の記録媒体に記録された静止画ファイルと第２の記録媒体に記録された静止画ファイルに対して編集を行うことが可能な静止画ファイル記録編集装置であって、
静止画ファイルがコピーされるコピー先記録機器を特定するための機器識別情報と、静止画ファイルが前記コピー先機器に記録済みか否かを示すための管理フラグと、コピー先機器の論理ボリューム空間において静止画ファイルが存在するパス情報を備えた情報を静止画ファイル独自管理情報として、
静止画ファイルのユーザデータ領域に、静止画ファイル独自管理情報を記録する静止画ファイル独自管理情報記録手段と、
前記ユーザデータ領域に静止画ファイル独自管理情報があるか否かを確認する静止画ファイル独自管理情報確認手段と、
前記ユーザデータ領域にある静止画ファイル独自管理情報の管理フラグの属性変更を行う管理フラグ属性変更手段と、
前記ユーザデータ領域にある静止画ファイル独自管理情報のパス情報の確認を行うパス情報確認手段と、
前記第２の記録媒体を前記静止画ファイル記録編集装置に装填したとき、静止画ファイル独自管理情報確認手段により、静止画ファイル独自管理情報が記録されている静止画ファイルを確認し、かつ、静止画ファイル独自管理情報の管理フラグがＦＡＬＳＥとなっている場合には、その静止画ファイルを前記第１の記録媒体の論理ボリューム空間に対してパス情報によって指定されるディレクトリにコピーする手段と
を備え、管理フラグ属性変更手段により、前記第２の記録媒体のコピー元静止画ファイルの静止画ファイル独自管理情報の管理フラグの属性をＴＲＵＥと設定すること
を特徴とする静止画ファイル記録編集装置。
【発明の詳細な説明】
【技術分野】
【０００１】
本発明は、ディジタルスチルカメラ等の画像撮影記録装置による撮影によって作成された静止画ファイルが記録されたメモリカードのような記録媒体を対象として、該記録媒体に記録されている静止画ファイルを読み出して、ＨＤＤのような大容量記録媒体に書き込んで保存することが可能な静止画ファイル記録編集装置に関するものである
【背景技術】
【０００２】
（静止画ファイル関連技術の説明）
従来、ディジタルスチルカメラにおいては、撮影によって得られた静止画ファイルを記録するために、数十〜百ＭＢ程度の記録容量を有する小型のメモリカードが用いられることが多く、ディジタルスチルカメラ本体に設けられたメモリカードインターフェースにメモリカードを装填した状態で、該メモリカードに複数枚の静止画ファイルをコピーすることが可能である。また、静止画ファイル記録済みのメモリカードをディジタルスチルカメラのメモリカードインターフェースに装填することによって、該メモリカードに記録されている複数の静止画ファイルを読み出して、該ディジタルスチルカメラに接続したＴＶモニタなどの映像出力装置に対して静止画を再生することが出来る。
【０００３】
１枚のメモリカードに記録できる静止画ファイルの数は限られており、多量の静止画ファイルを保存するには、複数枚のメモリカードが必要であるため、メモリカードの管理が煩雑となるばかりでなく、多量の静止画の中から所望の静止画を検索する場合、メモリカードを頻繁に差し替える必要があり、操作が煩雑である問題があった。そのために該メモリカードに記録されている静止画ファイルを読み出して、６５０〜８００ＭＢの記録容量を持つＣＤ−Ｒ（Ｃｏｍｐａｃｔ  Ｄｉｓｃ−Ｒｅｃｏｒｄａｂｌｅ）にコピーすることが可能な電子アルバム装置が考案されている（例えば、特許文献１参照）。
【０００４】
一方、テレビジョン信号を記録するための記録媒体として、近年、ＣＤ−Ｒよりもさらに記録容量が大きいＨＤＤ（Ｈａｒｄ  Ｄｉｓｋ  Ｄｒｉｖｅ）が利用されており、ビデオテープレコーダに代わるＡＶ（オーディオ・ビジュアル）データ再生記録編集装置として実用化されている。そのような再生記録編集装置は、単にテレビジョン信号を扱うだけにとどまらず、ディジタルデータを扱えること、記録容量が大きいことから、汎用的なディジタルＡＶデータのサーバもしくはプレーヤとして、ディジタルスチルカメラで撮影した静止画ファイルやＭＰ３などの音楽ファイルの保存や再生が可能なものも実用化されている。
【０００５】
ディジタルスチルカメラにより撮影した静止画ファイルは、対応する装置間で相互に利用できることを可能にするために、ＪＥＩＤＡ（日本電子工業振興協会）規格のＤＣＦ（Ｄｅｓｉｇｎ  ｒｕｌｅ  ｆｏｒ  Ｃａｍｅｒａ  Ｆｉｌｅ  ｓｙｓｔｅｍ）フォーマットに準拠した形でメモリカードなどの記録媒体に記録されることが多い。
【０００６】
ＤＣＦでは、静止画ファイル形式として、ＪＥＩＤＡ規格のＥｘｉｆ（Ｅｘｃｈａｎｇｅａｂｌｅ  Ｉｍａｇｅ  Ｆｉｌｅ  Ｆｏｒｍａｔ）が採用されている。Ｅｘｉｆは、ＪＰＥＧやＴＩＦＦ形式の画像フォーマットを拡張しており、撮影や画像に関する付属情報の記録と、確認用の縮小画像（サムネイル）を含めることができる。
【０００７】
ＤＣＦフォーマットで記録したデータの論理構成について図１を用いて説明する。図１はＤＣＦフォーマットの論理ボリューム構成を示す図である。図１において、１０１はＲｏｏｔディレクトリ、１０２はＤＣＦイメージルートディレクトリ（ＤＣＩＭディレクトリ）、１０３はＤＣＦディレクトリ、１０４はＤＣＦファイルを示す。ＤＣＦイメージルートディレクトリ１０２は、Ｒｏｏｔディレクトリ１０１の直下に置かれる。ＤＣＦディレクトリ１０３には、ＤＣＦフォーマットに従った静止画ファイルであるＤＣＦファイルがおかれる。ＤＣＦファイルは、Ｅｘｉｆ形式に準拠している。
【０００８】
ＤＣＦディレクトリ名の命名規則について説明する。ディレクトリ名は８文字である。１〜３文字目は“１００”〜“９９９”の番号である。“０００”〜“０９９”は使用しない。以下、この３文字をディレクトリ番号という。ディレクトリ番号に続く文字数は必ず５文字となる。これをＤＣＦディレクトリ名の自由文字という。自由文字は、半角英数大文字のみ使用された任意の文字列であり、２バイトコードや特殊コードは含まれない。
【０００９】
ＤＣＦファイル名の命名規則について説明する。ファイル名は拡張子を除いて８文字である。１〜４文字目は、半角英数大文字のみ使用した任意の文字列である。これをＤＣＦファイル名の自由文字という。２バイトコードや特殊文字コードは含まれない。同一ディレクトリ内で異なってもよい。続く４文字は“０００１”〜“９９９９”の番号である。“００００”は使用しない。以下、この４文字をファイル番号という。ファイル番号は欠番があってもよく、連番でなくてもよい。また、他のＤＣＦディレクトリ内のＤＣＦファイルとファイル番号が重複してもよい。
【００１０】
静止画ファイルのフォーマットについて図２を用いて説明する。図２は静止画ファイルのデータ構造を示す図である。図２において、２０１はスタートマーカー、２０２はＥｘｉｆ付属情報、２０３はＪＰＥＧヘッダー、２０４は静止画ファイルの本体である圧縮データ、２０５は終了マーカである。Ｅｘｉｆ付属情報２０２の詳細は、２０６がアプリマーカー、２０７がＥｘｉｆヘッダーのサイズ、２０８がＥｘｉｆ識別コード、２０９が画像付属情報、２１０が確認用の縮小画像（サムネイル）を示す。画像付属情報２０９の詳細は、２１１が付属情報のタグ情報、２１２が付属情報のデータの実体、２１３が付属情報内のユーザコメントを示す。Ｅｘｉｆ付属情報２０２の最大サイズは、６４ｋＢｙｔｅである。画像付属情報２０９には、例えば、使用したカメラの機種、設定（絞り、焦点距離、シャッター速度など）、画像の画素数や圧縮などの画像に関する情報、ユーザ情報などを記録することができる。画像付属情報２０９を記録する際に、まず、タグ情報を記録する。ユーザコメントは画像付属情報２０９の一部であり、ユーザがどのように利用してもよい。
【特許文献１】特開２０００−３１１１０６号公報
【発明の開示】
【発明が解決しようとする課題】
【００１１】
ディジタルスチルカメラ等の静止画撮像装置と、ＨＤＤを利用した静止画記録再生編集装置との間で、メモリカード等のメディアを介して、該メモリカードに記録された全ての静止画ファイルを読み出して、ＨＤＤにコピーして、その後、新たにディジタルスチルカメラによりメモリカードに対して、新たな静止画ファイルを作成した場合を想定する。このとき、メモリカードとＨＤＤの静止画ファイルの差分は、メモリカードのみに存在するが、その差分をコピーするには、ユーザによるコピー操作が必要となり、操作が煩雑である。
【００１２】
本発明は、メモリカードとＨＤＤに存在する静止画ファイルの差分を自動的に検出して、差分に相当する静止画ファイルをメモリカードからＨＤＤへ自動的にコピーすることを可能として、ユーザの利便性の向上を目的とするものである。
【課題を解決するための手段】
【００１３】
上記目的を達成するために、本発明の請求項１記載の静止画ファイル記録編集装置は、第１の記録媒体に対して、第２の記録媒体に記録された静止画ファイルをコピーすることが可能であり、また、第１の記録媒体に記録された静止画ファイルと第２の記録媒体に記録された静止画ファイルに対して編集を行うことが可能な静止画ファイル記録編集装置であって、静止画ファイルがコピーされるコピー先記録機器を特定するための機器識別情報と、静止画ファイルが前記コピー先機器に記録済みか否かを示すための管理フラグを備えた情報を静止画ファイル独自管理情報として、静止画ファイルのユーザデータ領域に、静止画ファイル独自管理情報を記録する静止画ファイル独自管理情報記録手段と、前記ユーザデータ領域に静止画ファイル独自管理情報があるか否かを確認する静止画ファイル独自管理情報確認手段と、前記ユーザデータ領域にある静止画ファイル独自管理情報の管理フラグの属性変更を行う管理フラグ属性変更手段と、前記第２の記録媒体を前記静止画ファイル記録編集装置に装填したとき、前記静止画ファイル独自管理情報確認手段により、静止画ファイル独自管理情報が記録されていない静止画ファイルを確認した場合には、その静止画ファイルを前記第１の記録媒体に対してコピーする手段と、管理フラグ属性変更手段により、管理フラグをＴＲＵＥと設定した静止画ファイル独自管理情報を記録する手段とを備えることを特徴とする。
【００１４】
本発明の請求項２記載の静止画ファイル記録編集装置は、第１の記録媒体に対して、第２の記録媒体に記録された静止画ファイルをコピーすることが可能であり、また、第１の記録媒体に記録された静止画ファイルと第２の記録媒体に記録された静止画ファイルに対して編集を行うことが可能な静止画ファイル記録編集装置であって、静止画ファイルがコピーされるコピー先記録機器を特定するための機器識別情報と、静止画ファイルが前記コピー先機器に記録済みか否かを示すための管理フラグを備えた情報を静止画ファイル独自管理情報として、静止画ファイルのユーザデータ領域に、静止画ファイル独自管理情報を記録する静止画ファイル独自管理情報記録手段と、前記ユーザデータ領域に静止画ファイル独自管理情報があるか否かを確認する静止画ファイル独自管理情報確認手段と、前記ユーザデータ領域にある静止画ファイル独自管理情報の管理フラグの属性変更を行う管理フラグ属性変更手段と、前記第２の記録媒体を前記静止画ファイル記録編集装置に装填したとき、静止画ファイル独自管理情報確認手段により、静止画ファイル独自管理情報が記録されている静止画ファイルを確認し、かつ、静止画ファイル独自管理情報の管理フラグがＦＡＬＳＥとなっている場合には、その静止画ファイルを前記第１の記録媒体に対してコピーする手段とを備え、管理フラグ属性変更手段により、前記第２の記録媒体のコピー元静止画ファイルの静止画ファイル独自管理情報の管理フラグの属性をＴＲＵＥと設定することを特徴とする。
【００１５】
本発明の請求項３記載の静止画ファイル記録編集装置は、第１の記録媒体に対して、第２の記録媒体に記録された静止画ファイルをコピーすることが可能であり、また、第１の記録媒体に記録された静止画ファイルと第２の記録媒体に記録された静止画ファイルに対して編集を行うことが可能な静止画ファイル記録編集装置であって、静止画ファイルがコピーされるコピー先記録機器を特定するための機器識別情報と、静止画ファイルが前記コピー先機器に記録済みか否かを示すための管理フラグと、コピー先機器の論理ボリューム空間において静止画ファイルが存在するパス情報を備えた情報を静止画ファイル独自管理情報として、静止画ファイルのユーザデータ領域に、静止画ファイル独自管理情報を記録する静止画ファイル独自管理情報記録手段と、前記ユーザデータ領域に静止画ファイル独自管理情報があるか否かを確認する静止画ファイル独自管理情報確認手段と、前記ユーザデータ領域にある静止画ファイル独自管理情報の管理フラグの属性変更を行う管理フラグ属性変更手段と、前記ユーザデータ領域にある静止画ファイル独自管理情報のパス情報の確認を行うパス情報確認手段と、前記第２の記録媒体を前記静止画ファイル記録編集装置に装填したとき、静止画ファイル独自管理情報確認手段により、静止画ファイル独自管理情報が記録されている静止画ファイルを確認し、かつ、静止画ファイル独自管理情報の管理フラグがＦＡＬＳＥとなっている場合には、その静止画ファイルを前記第１の記録媒体の論理ボリューム空間に対してパス情報によって指定されるディレクトリにコピーする手段とを備え、管理フラグ属性変更手段により、前記第２の記録媒体のコピー元静止画ファイルの静止画ファイル独自管理情報の管理フラグの属性をＴＲＵＥと設定することを特徴とする。
【発明の効果】
【００１６】
本発明によれば、ディジタルスチルカメラ等の静止画撮像装置と、ＨＤＤを利用した静止画記録再生編集装置との間で、メモリカード等のメディアを介して、該メモリカードに記録された全ての静止画ファイルを読み出して、ＨＤＤにコピーして、その後、新たにディジタルスチルカメラによりメモリカードに対して、新たな静止画ファイルを作成して、再度、メモリカードを静止画記録再生編集装置に接続した場合に、メモリカードの新たな静止画ファイルを検出して、自動でコピー動作を行うことが可能となるため、ユーザ操作の煩雑さを軽減する効果がある。
【発明を実施するための最良の形態】
【００１７】
以下、本発明の一実施例として、ディジタルスチルカメラにより静止画ファイルが記録されたＳＤメモリカードから内蔵ＨＤＤにコピーすることが可能な静止画ファイル記録編集装置について、図面を参照しながら説明する。
（静止画ファイル記録編集装置の構成）
図３は、静止画ファイル記録編集装置の機能ブロックを示す図である。図３において、３０１はユーザインターフェース（以下、ＵＩと記載する。）部、３０２はシステム制御部、３０３はストリームバッファ部、３０４はデコーダ部、３０５は出力部、３０６はカードインターフェース（Ｉ／Ｆ）部、３０７はＡＴＡインターフェース（Ｉ／Ｆ）部、３０８はＨＤＤ部、３０９はＳＤメモリカード、実線矢印は静止画ファイルのデータ信号、破線矢印は制御信号を示す。
【００１８】
ＵＩ部３０１は、操作キーなどの入力デバイス、表示デバイスなどの出力デバイスなどを備え、ユーザから、静止画ファイルの再生やコピーなどの要求を受け付け、受け付けた要求をシステム制御部３０２に送る。システム制御部３０２は、ＵＩ部３０１からの要求を実現するために必要な機能ブロックの制御を行う。
【００１９】
本装置の基本動作である静止画ファイルのコピー動作、ならびに、再生動作について説明する。
静止画ファイルのコピー動作について、ＳＤメモリカード３０９からＨＤＤ３０８へ静止画ファイルをコピーする場合を例として説明する。まず、ＵＩ部３０１からシステム制御部３０２に対して静止画ファイルコピーの要求、ならびに、コピー元（＝ＳＤメモリカード３０９）、コピー先（＝ＨＤＤ部３０８）、コピー対象静止画ファイルの情報が送られる。システム制御部３０２は、それを受けて、ＳＤメモリカードからコピー対象ファイルを読み出すために、カードＩ／Ｆ部３０６とストリームバッファ部３０３に対して制御信号を送る。読み出されたコピー対象静止画ファイルは、ストリームバッファ部３０３に蓄積される。次に、コピー先のＨＤＤ部３０８に、コピー対象静止画ファイルを書き込むために、システム制御部が、ストリームバッファ部３０３、ＡＴＡ  Ｉ／Ｆ部３０７に対して制御信号を送る。以上により、ＳＤメモリカード３０９からＨＤＤ部３０８へのコピー対象静止画ファイルのコピー動作が完了する。
【００２０】
静止画ファイルの再生動作について、ＨＤＤ部３０８から静止画ファイルを再生する場合を例として説明する。まず、ＵＩ部３０１からシステム制御部３０２に対して静止画ファイル再生の要求、ならびに、再生対象静止画ファイルの記録されているデバイス（＝ＨＤＤ部３０８）、再生対象静止画ファイルの指定に関する情報（ファイル名、ディレクトリ名など）が送られる。システム制御部３０２は、それを受けて、ＨＤＤ部３０８から再生対象ファイルをストリームバッファ部３０３に読み出す。読み出した静止画ファイルのデータをデコーダ部３０４へ転送して、静止画ファイルの画像フォーマットに適合したデコード処理を行う。例えば、ＪＰＥＧフォーマットの静止画ファイルであれば、ＪＰＥＧデコード処理を行う。そして、デコード処理を済ませたデータをさらに出力部３０５に転送して、本装置に接続された表示用モニタに適合した信号形式に変換して、表示用モニタに出力する。以上により、ＨＤＤ部３０８に記録された静止画ファイルの再生動作が完了する。
【００２１】
本発明の動作について、さらに図４、図５、図６を参照しながら説明する。
図４は、本発明の動作であるコピー動作に関係する機能ブロックを説明した図である。４０１はシステム制御部（３０２と同様）、４０２は静止画ファイルのユーザコメント領域に対して独自管理情報を記録する独自管理情報記録手段、４０３は静止画ファイルのユーザコメント領域に独自管理情報があるか否かを確認する独自管理情報確認手段、４１２は静止画ファイルのユーザコメント領域に記録されている独自管理情報に含まれる機器識別情報を確認する機器識別情報確認手段、４０４は静止画ファイルのユーザコメント領域に記録されている独自管理情報に含まれる管理フラグの属性（ＴＲＵＥ／ＦＡＬＳＥ）を変更する管理フラグ属性変更手段、４１３は静止画ファイルのユーザコメント領域に記録されている独自管理情報に含まれる管理フラグの属性（ＴＲＵＥ／ＦＡＬＳＥ）を確認する管理フラグ属性確認手段、４０５は機器識別情報、管理フラグを含む独自管理情報データ、４０６はストリームバッファ部（３０３と同様）、４０７はカードＩ／Ｆ部、４０８は静止画ファイルが記録されたメモリカード（破線内は論理ボリューム構造）、４０９はＨＤＤへコピーされたメモリカード内にある静止画ファイルの内部データ構造、４１０はＡＴＡ  Ｉ／Ｆ部（３０７と同様）、４１１はメモリカード内の静止画ファイルを全てコピーした後の状態のＨＤＤ（破線内は論理ボリューム構造）を示している。
【００２２】
独自管理情報の意味について説明する。メモリカード内の静止画ファイルに、独自管理情報が存在する場合、メモリカードが静止画ファイル記録再生編集装置に装填され、メモリカード内の静止画ファイルが静止画ファイル記録再生編集装置によって編集されたことを意味する。不特定の静止画ファイル記録再生編集装置を特定するための情報が、独自管理情報内の機器識別情報である。例えば、装置固有のシリアル番号などを利用できる。管理フラグは、静止画ファイル記録再生編集装置にコピー済みであるかを意味する。すなわち、管理フラグがＴＲＵＥの場合、その静止画ファイルは静止画ファイル記録再生編集装置にコピー済みであることを意味する。管理フラグがＦＡＬＳＥの場合、その静止画ファイルは静止画ファイル記録再生編集装置にまだコピーされていないことを意味する。
【００２３】
図５、図６のフローチャートを参照しながら本発明の動作を説明する。
本静止画ファイル記録再生編集装置に、メモリカードを装填すると、論理ボリュームのチェックを行う。この動作を図５に示す。まず、論理ボリューム内のＲｏｏｔディレクトリに移動する（ステップ５０１）。時に、ＤＣＩＭディレクトリに移動する（ステップ５０２）。そして、ＤＣＩＭディレクトリ内のディレクトリを順次検索していくために、ディレクトリ検索用カウンタの初期値に「１００」を設定して（ステップ５０３）、ディレクトリ検索用カウンタ値を順に加算しながらディレクトリ検索用カウンタ番号をディレクトリ番号とするディレクトリがあるかを確認する（ステップ５０４）。もし、該当ディレクトリがあれば（ステップ５０４のＹＥＳ）、該当ディレクトリに移動する（ステップ５０５）。もし、ディレクトリ検索用カウンタ値を「９９９」まで加算した時に、該当ディレクトリがなければ、ＤＣＩＭディレクトリ内に含まれるＤＣＦディレクトリの確認が全て終了したことを意味するので、論理ボリュームのチェックを終了する（ステップ５０４のＮＯ）。ステップ５０４のＹＥＳに続く処理について、該当ディレクトリ内のファイルを検索するためのファイル検索用カウンタの初期値に「１」を設定して（ステップ５０６）、ファイル検索用カウンタ番号をファイル番号とするファイルがあるかどうかを確認する（ステップ５０７）。ステップ５０７のＹＥＳに続く処理について、ファイルチェックを行うための管理フラグであるファイルチェックフラグを初期化する（ステップ５０８）。そして、該当ファイルに対してファイルチェックを行う（ステップ５０９）。ファイルチェックの処理フローについては後述する。ファイルチェックフラグがＴＲＵＥであれば、該当ファイルをＨＤＤにコピーする（ステップ５１１）。その後、該当ファイルの独自管理情報内の管理フラグをＴＲＵＥに更新する（ステップ５１２）。次のファイルを確認するために、ファイル検索用カウンタを「＋１」加算する（ステップ５１３）。ステップ５０７〜ステップ５１３の処理を、ファイル検索用カウンタが９９９９になるまでくり返す（ステップ５１４のＮＯ）。ファイル検索用カウンタが９９９９を超えた場合は、該当のディレクトリ内のファイルの確認が終了したことを意味するので、次のディレクトリの確認を行うためにディレクトリ検索用カウンタを「＋１」加算する。ディレクトリ検索用カウンタが９９９を超えるまで、ステップ５０４〜ステップ５１５の処理をくり返す。ディレクトリ検索用カウンタが９９９を超えた場合は、メモリカード内のＤＣＦ規格に準拠した全ての静止画ファイルの確認が終了したことを意味するので、終了する。
【００２４】
先述したファイルチェックについて、説明する。ファイルチェックの目的は３つある。１つめは静止画ファイル内のユーザコメント領域に独自管理情報が記録されているか否かの確認である。２つめは独自管理情報内の機器識別情報が本静止画ファイル記録再生編集装置の識別情報と一致するか否かの確認である。３つめは独自管理情報内の管理フラグがＴＲＵＥであるか否かの確認である。ファイルチェック処理の結果、ファイルチェックフラグがＴＲＵＥの場合は、該当ファイルをメモリカードからＨＤＤへコピーが必要であることを意味する。ファイルチェックフラグがＦＡＬＳＥの場合は、該当ファイルをメモリカードからＨＤＤへコピーする必要がないことを意味する。
【００２５】
ファイルチェックの処理フローについて、図６を参照しながら説明する。まず、ＤＣＦファイルのユーザコメント領域に独自管理情報があるか否かを確認する（ステップ６０１）。独自管理情報が記録されていれば（ステップ６０１のＹＥＳ）、次に、独自管理情報内の機器識別情報が本静止画ファイル記録再生編集装置の識別情報と一致するか否かを確認する（ステップ６０２）。機器識別情報が本静止画ファイル記録再生編集装置の識別情報と一致すれば（ステップ６０２のＹＥＳ）、さらに独自管理情報内の管理フラグがＴＲＵＥであるか否かを確認する（ステップ６０３）。管理フラグがＦＡＬＳＥであれば（ステップ６０３のＮＯ）、該当ファイルをコピー対象とするという意味で、ファイルチェックフラグをＴＲＵＥとする（ステップ６０５）。管理フラグがＴＲＵＥであれば（ステップ６０３のＹＥＳ）、該当ファイルをコピー対象としないという意味で、ファイルチェックフラグをＦＡＬＳＥとする（ステップ６０４）。また、ステップ６０１のＮＯ、もしくは、ステップ６０２のＮＯであれば、ユーザコメント領域に機器識別情報と管理フラグ（ＦＡＬＳＥ）を設定した独自管理情報を記録した後、該当ファイルをコピー対象とするためファイルチェックフラグをＴＲＵＥとする（ステップ６０４）。以上で、ファイルチェック処理は終了する。
【００２６】
静止画ファイルの独自管理情報において、静止画ファイル記録再生編集装置に静止画ファイルがコピーされているディレクトリの位置情報を示すパス情報を追加して記録してもよい。この場合、図５のステップ５１１において、静止画ファイルをＨＤＤへコピーする際に、パス情報を参照することにより、ＨＤＤ内のパス情報で規定されるディレクトリにコピーすることができる。例えば、ＨＤＤ内の論理ボリューム空間内に静止画ファイルを格納するディレクトリが複数存在する場合に、ディレクトリごとに異なるパス情報を独自管理情報に記録することにより、コピー先を振り分けることができる。
【産業上の利用可能性】
【００２７】
本発明にかかる静止画ファイルのコピー方法は、ディジタルスチルカメラ等と、静止画ファイルを扱うことが可能なＨＤＤレコーダのような静止画ファイル記録再生編集装置等との間で相互に静止画データを扱う場合にユーザ操作の煩雑さを軽減する方法として有用である。
【図面の簡単な説明】
【００２８】
【図１】ＤＣＦフォーマットに準じたメモリカード内の論理ボリューム構造を示す図
【図２】撮影画像データファイルの内部データ構造を示す図
【図３】静止画ファイル記録再生装置の機能ブロック構成を示す図
【図４】図３において、特にコピー動作に関係する機能ブロックを説明した図
【図５】本発明に関係する動作フローチャート
【図６】図５のファイルチェック動作をより詳細に示した動作フローチャート
【符号の説明】
【００２９】
１０１  Ｒｏｏｔディレクトリ
１０２  ＤＣＦイメージルートディレクトリ（ＤＣＩＭディレクトリ）
１０３  ＤＣＦディレクトリ
１０４  ＤＣＦファイル
２０１  スタートマーカー
２０２  Ｅｘｉｆ付属情報
２０３  ＪＰＥＧヘッダー
２０４  静止画ファイルの圧縮データ
２０５  終了マーカ
２０６  アプリマーカー
２０７  Ｅｘｉｆヘッダーのサイズ
２０８  Ｅｘｉｆ識別コード
２０９  画像付属情報
２１０  確認用の縮小画像（サムネイル）
２１１  付属情報のタグ情報
２１２  付属情報のデータの実体
２１３  付属情報内のユーザコメント
３０１  ユーザインターフェース（ＵＩ）部
３０２  システム制御部
３０３  ストリームバッファ部
３０４  デコーダ部
３０５  出力部
３０６  カードインターフェース（Ｉ／Ｆ）部
３０７  ＡＴＡインターフェース（Ｉ／Ｆ）部
３０８  ＨＤＤ部
３０９  ＳＤメモリカード
４０１  システム制御部
４０２  独自管理情報記録手段
４０３  独自管理情報確認手段
４１２  機器識別情報確認手段
４０４  管理フラグ属性変更手段
４１３  管理フラグ属性確認手段
４０５  独自管理情報データ
４０６  ストリームバッファ部
４０７  カードＩ／Ｆ部
４０８  ＳＤメモリカード（破線内は論理ボリューム構造）
４０９  ＨＤＤへコピーされたメモリカード内にある静止画ファイルの内部データ構造
４１０  ＡＴＡ  Ｉ／Ｆ部
４１１  ＳＤメモリカード内の静止画ファイルを全てコピーした後の状態のＨＤＤ（破線内は論理ボリューム構造）
【図１】
2008085683.tif 000003
【図２】
2008085683.tif 000004
【図３】
2008085683.tif 000005
【図４】
2008085683.tif 000006
【図５】
2008085683.tif 000007
【図６】
2008085683.tif 000008